(57)【特許請求の範囲】
【請求項１】
脱穀室２の穀稈移送口３の下側に移送口カバ−２９を着脱可能に設け、該移送口カバ−２９の外側にフィ−ドチェン４を張設し、前記移送口カバ−２９と前記フィ−ドチェン４を摺動案内するチェンレ−ル３０とを上下方向のチェン展開ピン３５の回りに回動させて外方へ展開できるように構成し、前記移送口カバ−２９の外側にチェンカバ−３６を設け、該チェンカバ−３６の内側部に、前記チェンレ−ル３０の下側において外側下方へ傾斜し更に前記チェンカバ−３６と平行状に下方へ垂下するフィ−ドチェン４前端部側の案内板３７を設けて、該案内板３７とチェンカバ−３６との間にわら屑案内通路３８を形成し、前記フィ−ドチェン４の前端部の穀稈供給漏斗５側に、穀稈の穂部側を受けて送込むサブチェン６を設けて、該サブチェン６と前記フィ−ドチェン４とを一体としてチェン展開ピン３５の回りに回動できるように構成し、前記サブチェン６の下側に穀稈供給漏斗５と一体の案内板４４を設け、該案内板４４の前端を開放させると共に該案内板４４の外側端を前記フィ−ドチェン４前端部側の案内板３７の内側端に接近させて、サブチェン６部で生じたわら屑を、該サブチェン６下側の案内板４４上を案内してサブチェン６の回転による掻出作用で前側へ掻出すか又は外側部の前記フィ−ドチェン４前端部側の案内板３７を経てわら屑案内通路３８へ排出するように構成したことを特徴とするコンバインの脱穀穀稈供給装置。
【発明の詳細な説明】
【０００１】
【発明の属する技術分野】
この発明は、コンバインの脱穀穀稈供給装置に関するものである。
【０００２】
【従来の技術】
短稈適用のコンバインでは、脱穀装置のフィードチェン部の穂部側にサブチェンを設けて、フィードチェンで挾持搬送し難い短稈をこのサブチェンで脱穀室へ送込む形態がある。
【０００３】
【発明が解決しようとする課題】
しかしながら、このような従来のサブチェン形態では、フィードチェンの始端部がダブルチェン構成となるため、わら屑の停滞や巻付き等が生じ易く、穀稈の円滑な供給搬送を維持し難い。
【０００４】
【課題を解決するための手段】
この発明は、脱穀室２の穀稈移送口３の下側に移送口カバ−２９を着脱可能に設け、該移送口カバ−２９の外側にフィ−ドチェン４を張設し、前記移送口カバ−２９と前記フィ−ドチェン４を摺動案内するチェンレ−ル３０とを上下方向のチェン展開ピン３５の回りに回動させて外方へ展開できるように構成し、前記移送口カバ−２９の外側にチェンカバ−３６を設け、該チェンカバ−３６の内側部に、前記チェンレ−ル３０の下側において外側下方へ傾斜し更に前記チェンカバ−３６と平行状に下方へ垂下するフィ−ドチェン４前端部側の案内板３７を設けて、該案内板３７とチェンカバ−３６との間にわら屑案内通路３８を形成し、前記フィ−ドチェン４の前端部の穀稈供給漏斗５側に、穀稈の穂部側を受けて送込むサブチェン６を設けて、該サブチェン６と前記フィ−ドチェン４とを一体としてチェン展開ピン３５の回りに回動できるように構成し、前記サブチェン６の下側に穀稈供給漏斗５と一体の案内板４４を設け、該案内板４４の前端を開放させると共に該案内板４４の外側端を前記フィ−ドチェン４前端部側の案内板３７の内側端に接近させて、サブチェン６部で生じたわら屑を、該サブチェン６下側の案内板４４上を案内してサブチェン６の回転による掻出作用で前側へ掻出すか又は外側部の前記フィ−ドチェン４前端部側の案内板３７を経てわら屑案内通路３８へ排出するように構成したことを特徴とするコンバインの脱穀穀稈供給装置の構成とする。
【０００５】
【発明の効果】
本発明によると、移送口カバ−２９及びチェンレ−ル３０を、フィ−ドチェン４を掛け渡した状態で上下方向のチェン展開ピン３５の回りに回動させることができると共に、サブチェン６もフィ−ドチェン４と一体としてチェン展開ピン３５の回りに回動させることができ、移送口カバ−２９を開放することによって脱穀室２下側の脱穀網を交換することができる。
【０００６】
また、サブチェン６部で生じたわら屑を、該サブチェン６下側の案内板４４上を案内してサブチェン６の回転による掻出作用で前側へ掻出すか又は外側部のフィ−ドチェン４前端部側の案内板３７を経てわら屑案内通路３８へ排出することができる。
【０００７】
【発明の実施の形態】
コンバインは、クローラ走行装置８を有する車台９上に、穀稈引起装置１０や刈刃装置１１及び穀稈搬送装置１２等を有した刈取装置１３を昇降自在にして支架する。この後側に扱胴１を軸装した脱穀室２や処理胴１４を軸装した処理室１５、脱穀室２の穀稈移送口３に沿うフィードチェン４と挾扼杆１６、脱穀物を受けて揺動移送しながら選別する揺動選別棚１７、選別風路１８へ選別風を送る唐箕１９、脱穀済排稈を排送する排稈装置２０、及び吸引排塵機２１等を有した脱穀装置２２を搭載する。
【０００８】
前記車台９の一側部には、前部から後部に亘って、操縦台や操縦席等を覆うキャビン２３、操縦席下側のエンジン、脱穀装置２２で脱穀選別された穀粒を取出して収容するグレンタンク２４、及び、このグレンタンク２４の収容穀粒を機外へ取出搬送する排穀オーガ２５等を搭載配置する。
【０００９】
前記脱穀室２は、前側に穀稈供給口２６を有して、前側に穀稈供給漏斗５が設けられて、フィードチェン４の前端部を横側に沿わせる。又、後側には排稈口２７が設けられ、前記排稈装置２０を有する排稈室２８と連通し、穀稈移送口３はこれら穀稈供給口２６から排稈口２７に亘って下側のフィードチェン４と上側の挾扼杆１６との間で挾持した穀稈を移送させることができる。
【００１０】
前記フィードチェン４は、脱穀室２の穀稈移送口３の下側に着脱可能の移送口カバー２９の外側に張設される。３０はこのフィードチェン４を摺動案内するチェンレール、３１はこのフィードチェン４の後端を掛け渡して駆動する駆動スプロケット、３２は前端の端部スプロケット、３３は張圧スプロケットである。該移送口カバー２９及びチェンレール３０等は、フィードチェン４を掛け渡した状態で、前端下部の脱穀装置２２に一体のフレーム３４に対して、上下方向のチェン展開ピン３５の回りに回動させて、該フィードチェン４等を穀稈移送口３から外方へ展開できる。この移送口カバー２９の前部外側にはチェンカバー３６が設けられ、このチェンカバー３６の内側部には、該チェンレール３０の下側を外側へ傾斜し、更にチェンカバー３６と平行状に下方へ垂下する案内板３７を設けて、この案内板３７とチェンカバー３６との間にわら屑案内通路３８を形成する。
【００１１】
サブチェン６は、前記フィードチェン４の前端部の穀稈供給漏斗５側に沿って設けられ、該フィードチェン４前端の端部スプロケット３２と同スプロケット軸３９上のスプロケット４０で駆動される。このサブチェン６は後端を穀稈供給口２６近くに接近させている。４１はこのチェンレールである。サブチェン６は、チェンリンクプレート４２，４３のうち穂部側のチェンリンクプレート４２を低く形成した段違形態として、供給穀稈の稈身が穀稈供給漏斗５上面に沿い易くしている。又、このサブチェン６は、フィードチェン４と一体としてチェン展開ピン３５の回りに回動できる。
【００１２】
前記サブチェン６の下側には、穀稈供給漏斗５と一体の案内板４４を設け、前端をこのサブチェン６の前端部に開放させている。又この案内板４４の外側端は前記フィードチェン４前端部側の案内板３７の内側端に接近させている。このようにしてサブチェン６部で生じわら屑は、この案内板４４上を案内されて、サブチェン６の回転による掻出作用で前側へ掻出すか、外側部の案内板３７を経てわら屑案内通路３８へ排出させる。
【００１３】
わら屑案内板７は、これら案内板４４及び３７によって構成している。案内板４４をフィードチェン４の前端部と同じか、これよりも前側へ突出させて、前方へ案内されるわら屑が、隣接のフィードチェン４の始端部に巻込まれないように構成している。又、前記フィードチェン４側の案内板３７をサブチェン６の下側へ延長させて案内板４４を一体的構成とするもよい。この場合は案内板４４は穀稈供給漏斗５とは独立構成となる。又、サブチェン６側の案内板４４は正断面Ｌ字状に形成しているがＵ字状断面の樋状に形成してわら屑案内板７とし、フィードチェン４側の案内板３７とは独立の構成とするもよい。
【００１４】
前記フィードチェン４の駆動スプロケット３１や、脱穀装置下部の唐箕１９等の伝動ベルト７３等を前記案内板３７で覆っている。わら屑案内通路３８は、この案内板３７の外側に構成されるため、これを落下案内されるわら屑が張圧スプロケット３３や、伝動ベルト７３等に巻きつくことがない。
【００１５】
前記挾扼杆１６は、脱穀室２上をカバー軸４５の回りに上下回動して開閉する脱穀カバー４６の穀稈移送口３側端部に沿って設けられ、脱穀カバー４６の開放によってフィードチェン４から離間させることができる。４７は脱穀室２下側の脱穀網で、前記移送口カバー２９の開放で着脱して交換できる。
【００１６】
４８は脱穀装置２２各部を伝動する脱穀入力プーリ、４９はギヤケース、５０は穀稈供給漏斗５の下方に設けたプーリで、前記扱胴１の扱胴軸５１を伝動する伝動ケース５２の伝動プーリ５３と、処理胴１４の処理胴軸５４との間に亘ってベルト５５を掛け渡して連動する。
【００１７】
５６は脱穀フレームの前端部に軸装されたクランク軸で、前記揺動選別棚１７を揺動させる。フィードチェン４後端部の駆動スプロケット３１は、脱穀フレーム後部に固定の伝動ケース７０に軸装のチェン駆動軸７１に嵌脱できるカップリングを構成し、前記移送口カバー２９の開閉によって、この駆動スプロケット３１を嵌脱し、この嵌脱によってフィードチェン４を伝動することができる。又、該伝動ケース７０の入力軸７２は、前記ギヤケース４９側からベルト７３伝動機構を経て伝動される。
【００１８】
主として、図６において、穀稈移送口３下側の前記移送口カバー２９の扱胴１との間の間隔部Ａを自動的に調整する構成としている。この移送口カバー２９の下端部は脱穀網４７の側端縁を支持する網押フレームの機能を有するが、この脱穀網４７や移送口カバー２９等が扱胴軸５１の方向に長くなる構成であるときは、前後中間部が脱穀穀稈の圧力を受けて外側方へ撓み、該間隔部Ａが大きくなり、脱穀効率が低下することがある。
【００１９】
これを解消するため、前後中間部の１個所乃至数個所に、間隔部Ａを検出する歪みゲージ５７と、この歪みゲージ５７の検出によって駆動されるギヤドモータＭと、このモータＭによって回動されるボルト５８と等から構成される間隔調整装置５９を設ける。間隔部Ａが大きくなるとボルト５８で移送口カバー２９を扱胴１側へ押圧して、間隔部Ａが一定となるように自動調整させる。又、穀稈量が少くなって間隔部Ａが狭くなり過ぎるとボルト５８を逆回動させて移送口カバー２９を外側へ引き戻して間隔部Ａを一定に維持する。
【００２０】
フィードチェンレール３０と移送口カバー２９との間は、適宜の間隔で連結されるが、移送口カバー２９の前部と後部とではブラケット６０，６１間をボルト７４で直接連結し、中間部数個所に間隔調整装置５９のボルト５８で支持する。
【００２１】
図７において、上例と異なる点は、前記ボルト５８を、歪みゲージ５８とモータＭとによって自動調整する構成に代えて、直接手動調整するものである。
主として図８においては、前記移送口カバー２９をフィードチェン４のチェンレール４１と一体として展開できる構成において、この移送口カバー２９の下端部と脱穀網４７との間に間隔部Ｂを形成し、この移送口カバー２９下端の揺動選別棚１７上面にのぞむＣ案内板６２を設けて、移送口カバー２９の開閉を行い易くする。又、前例のように移送口カバー２９の移動による間隔部Ａ調整を行う構成ではこの移動を行い易くする。
【００２２】
図９、図１０において、上例と異なる点は、脱穀カバー４６の穀稈移送口３部上に設けるハンドル６３を、脱穀穀稈の株元搬送ガイド杆に兼用する構成にあって、ハンドル６３の基部にフック６４を有し、このフック６４を脱穀フレーム側と一体のフックピン６５に係合させて、ハンドル６３を単に押上げただけでは脱穀カバー４６は開かないが、このハンドル６３をばね６６に抗して手前に引出してフックピン６５からフック６４の係合を外すことにより、脱穀カバー４６を上方へ開くことができる。これによって、穀稈量が多い場合にハンドル６３が単に押上げられても脱穀カバー４６は開かれることはない。６７はハンドル６３の基部のスライダーで、脱穀カバー４６側の挾扼杆取付フレーム６８等に一体のブラケット６９に摺動自在に支持させている。
【図面の簡単な説明】
【図１】脱穀装置の平面図と、そのフィ−ドチェン部の正面図。
【図２】コンバインの側面図。
【図３】脱穀装置の側面図。
【図４】その正面図。
【図５】脱穀装置部の側断面図。
【図６】一部別実施例を示すもので、チェンレ−ル部の正面図。
【図７】一部別実施例を示すもので、チェンレ−ル部の正面図。
【図８】一部別実施例を示すもので、移送口カバ−部の正面図。
【図９】脱穀カバ−部の側面図。
【図１０】その一部の平面図。
【符号の説明】
２    脱穀室
３    穀稈移送口
４    フィ−ドチェン
５    穀稈供給漏斗
６    サブチェン
２９ 移送口カバ−
３０ チェンレ−ル
３５ チェン展開ピン
３６ チェンカバ−
３７ 案内板
３８ わら屑案内通路
４４ 案内板
【図１】
0003613966.tif 000002
【図２】
0003613966.tif 000003
【図３】
0003613966.tif 000004
【図４】
0003613966.tif 000005
【図５】
0003613966.tif 000006
【図６】
0003613966.tif 000007
【図７】
0003613966.tif 000008
【図８】
0003613966.tif 000009
【図９】
0003613966.tif 000010
【図１０】
0003613966.tif 000011